(57)【要約】【課題】温度センサによるファン制御に加えて時間軸でのファン制御を追加し、起動時に停止時間を一定に設定する際に、時間制御により装置本体内の温度を低減させる。【解決手段】ファン制御装置は、装置本体内の温度を検出する温度センサ９と、検出された温度の値に基づいて冷却ファン７，８の制御を行う温度制御機能としてのＣＰＵ１，サブマイコン４と、装置本体とネットワーク１０を介して接続されているサーバー１１との間で通信を行う通信機能としてのＣＰＵ１と、少なくとも前回と今回の通信開始に基づく時間の値に基づいて冷却ファン７，８の制御を行う時間制御機能としてのＣＰＵ１，サブマイコン４とを備えた。【選択図】  図１
2004259204.tif 000002
【特許請求の範囲】
【請求項１】
装置本体内に設けられた冷却ファンにより上記装置本体内の冷却を行うファン制御装置において、
上記装置本体内の温度を検出する温度検出手段と、
上記温度検出手段により検出された温度の値に基づいて上記冷却ファンの制御を行う温度制御手段と、
上記装置本体とネットワークを介して接続されているサーバーとの間で通信を行う通信手段と、
上記通信手段による少なくとも前回と今回の通信開始に基づく時間の値に基づいて上記冷却ファンの制御を行う時間制御手段と、
を備え、上記温度制御手段および上記時間制御手段とを用いて上記冷却ファンの制御を行うことを特徴とするファン制御装置。
【請求項２】
請求項１記載のファン制御装置において、
上記通信手段は、所定時間ごとに一定時間の通信を行い、上記時間制御手段は上記一定の時間の値の経過まで上記冷却ファンの動作を停止することを特徴とするファン制御装置。
【請求項３】
請求項１記載のファン制御装置において、
上記時間制御手段は、さらに前回の通信終了と今回の通信開始に基づく時間の値に基づいて上記冷却ファンの制御を行うことを特徴とするファン制御装置。
【請求項４】
請求項１記載のファン制御装置において、
上記前回と今回の通信開始に基づく時間の値は、上記温度検出手段により検出された上記装置本体内の温度が飽和温度に達する時間に対応することを特徴とするファン制御装置。
【請求項５】
請求項１記載のファン制御装置において、
上記時間制御手段は、上記温度検出手段により検出された上記装置本体内の温度が飽和温度に達すると予測される時間の経過後に上記装置がパワーオフ状態にされ、その直後に上記装置がパワーオン状態にされたとき、上記冷却ファンの制御を行うことを特徴とするファン制御装置。
【請求項６】
装置本体内に設けられた冷却ファンにより上記装置本体内の冷却を行うファン制御方法において、
上記装置本体とネットワークを介して接続されているサーバーとの間で通信手段を用いて通信を行う通信ステップと、
上記装置本体内の温度を温度検出手段を用いて検出する温度検出ステップと、
上記温度検出手段により検出された温度の値に基づいて温度制御手段を用いて上記冷却ファンの制御を行う温度制御ステップと、
上記通信手段による少なくとも前回と今回の通信開始に基づく時間の値に基づいて時間制御手段を用いて上記冷却ファンの制御を行う時間制御ステップと
を備え、上記温度制御手段および上記時間制御手段とを用いて上記冷却ファンの制御を行うことを特徴とするファン制御方法。
【請求項７】
請求項６記載のファン制御方法において、
上記通信ステップは、所定時間ごとに一定時間の通信を行い、上記時間制御ステップは上記一定の時間の値の経過まで上記冷却ファンの動作を停止することを特徴とするファン制御方法。
【請求項８】
請求項６記載のファン制御方法において、
上記時間制御ステップは、さらに前回の通信終了と今回の通信開始に基づく時間の値に基づいて上記冷却ファンの制御を行うことを特徴とするファン制御方法。
【請求項９】
請求項６記載のファン制御方法において、
上記前回と今回の通信開始に基づく時間の値は、上記温度検出ステップにより検出された上記装置本体内の温度が飽和温度に達する時間に対応することを特徴とするファン制御方法。
【請求項１０】
請求項６記載のファン制御方法において、
上記時間制御ステップは、上記温度検出ステップにより検出された上記装置本体内の温度が飽和温度に達すると予測される時間の経過後に上記装置がパワーオフ状態にされ、その直後に上記装置がパワーオン状態にされたとき、上記冷却ファンの制御を行うことを特徴とするファン制御方法。
【発明の詳細な説明】
【０００１】
【発明の属する技術分野】
本発明は、例えば、装置内の発熱部を冷却ファンを用いて冷却するファン制御装置およびファン制御方法に関するものである。
【０００２】
【従来の技術】
従来、例えば、発熱部である電源部やアクチュエータ部を冷却ファンを用いて冷却するファン制御装置では、装置本体の電源がオンとなると必ず冷却ファンを回転するようにしていた。
【０００３】
【特許文献１】
特開２００１―５６７２４号公報
【０００４】
【発明が解決しようとする課題】
しかし、上述した従来のファン制御装置では、装置本体の電源がオンとなると必ず冷却ファンが回転するため、常に冷却ファンの回転による回転ノイズが発生し、静粛さが要求される環境では騒音により装置の品質が低下するという不都合があった。
【０００５】
また、冷却ファンの回転ノイズを低減するための駆動電圧を下げて回転数を落とす等の方法があるが冷却機能を満足させて行うには限界がある。
【０００６】
本発明による制御では、温度センサによるフィードバックによって温度を監視しファン制御を行いかつ時間軸の制御としてポーリング時には冷却ファンを停止させることにより回転ノイズを低減することができる。
【０００７】
その際に、装置本体内部の温度は約１時間で飽和するが、装置本体内部の温度が飽和温度に到達後に、ポーリングの開始または終了によりまたは電源スイッチの操作により装置本体の電源電圧の供給を停止し、直後に装置本体の電源電圧の供給を開始した場合、ファンの回転が停止している期間に装置本体内の温度は飽和温度を超えて上昇することがあった。
【０００８】
そこで、本発明の制御では、装置本体内部の温度が飽和温度に到達後に、装置本体の電源電圧の供給を停止し、直後に装置本体の電源電圧の供給を開始することにより、装置本体内の温度が飽和温度を超えて上昇し、これを繰り替えされた場合、温度がさらに上昇するが、この場合の飽和温度を超える装置本体内の温度上昇を低減することを課題とするものである。
【０００９】
本発明と特許文献１との差異を以下に示す。この特許文献１の特許請求範囲によるとファン制御の方法は、測定温度に対応するレジスタ値がＳＭバスを介してＦＡＮ回転数制御ＩＣに転送されることでＩＣ内で動作電圧を生成してファン制御される。
【００１０】
特許文献１は、温度センサにより機器の内部の温度を測定しファン制御をすることは一般的なのでＳＭバスを使用した制御を特徴としているが、この点については、本発明のファン制御の方法は、第１に、温度センサにより測定された温度は電圧に変換される。第２に、サブマイクロコンピューター（マイコン）がこの電圧をＡＤ変換し時系列データしとしてマイコンに取り込む。第３に、制御プログラムで温度データと設定データを比較しファン制御を行う。第４に、ファンの動作電圧はサブマイコンからのＦＡＮ＿ＣＯＮＴ信号のＨ／Ｌで電源回路内の４端子レギュレータの出力で制御される。第５に、本出願は特別なＳＭバスを使うことなく、サブマイコンのＡＤ変換機能を用い測定温度をデータに変換しプログラム制御をしている点に差異がある。
【００１１】
特に、本発明の特許文献１に対する差異は、ＳＭバスを使用しないでサブマイコンによるローカルな制御を行うに際して、温度センサによるファン制御に加えて時間軸でのファン制御を追加していることに大きな差がある。温度を優先した制御をすると起動時に例えば数分間ファンを停止することはできないし、さらに、停止時間を一定に設定することができない。機器の起動時から例えば数分間はファンを停止させるために絶対時間に応じた時間設定をするためにタイマーを使用する。数分経過後は温度センサによるファン制御に移行する。その際に、装置本体内の温度が飽和温度に達すると予測される時間の経過後に装置がパワーオフ状態にされ、その直後に装置がパワーオン状態にされたとき、冷却ファンの制御を行う。
【００１２】
本発明の目的は、機器の更新される動作プログラム等をネットワークを介して接続されているサーバーに対して要求するポーリングの動作は起動してほぼ数分以内なのでこの期間ファンを停止することでノイズを低減することができるものであり、また同様に消費電力を低減できるものである。その際に、装置本体内の温度が飽和温度に達すると予測される時間に基づいてファンの制御を行うことにより、装置本体内の温度を低減させるものである。
【００１３】
特許文献１は、温度センサのみによるファン制御の場合、起動時にファンを停止し温度が上限以上になるとオンする。温度が上限以上になるとファンは回転する。逆に上限以下の場合はファンは停止状態のままになり機器の温度は急激に上昇する。このためファンは再度回転し機器内を冷却する。上限値を低くするとファンが短時間にＯＮ／ＯＦＦを繰り返すことにより、いわゆるハンチング現象を引き起こし、本発明のように時間軸制御でなければ停止時間を一定にすることができない。
【００１４】
そこで、本発明は、かかる点に鑑みてなされたものであり、温度センサによるファン制御に加えて時間軸でのファン制御を追加し、起動時に停止時間を一定に設定する際に、時間制御により装置本体内の温度を低減させることができるファン制御装置およびファン制御方法を提供することを課題とする。
【００１５】
【課題を解決するための手段】
本発明のファン制御装置は、装置本体内の温度を検出する温度検出手段と、温度検出手段により検出された温度の値に基づいて冷却ファンの制御を行う温度制御手段と、装置本体とネットワークを介して接続されているサーバーとの間で通信を行う通信手段と、通信手段による少なくとも前回と今回の通信開始に基づく時間の値に基づいて冷却ファンの制御を行う時間制御手段とを備え、温度制御手段および時間制御手段とを用いて冷却ファンの制御を行うものである。
【００１６】
従って本発明によれば、以下の作用をする。
ネットワークに接続されたサーバーとの間で通信手段を用いた通信機能をもつ本体装置でノイズ低減のために温度制御手段および時間制御手段とを用いて冷却ファンのファン制御を行う。
【００１７】
近年デジタルオーディオビデオ機器ではファンによる冷却が必要な機器が多くなってきた。通信手段には、ネットワーク接続機能のひとつとしてポーリングという機能がある。通信手段により、ユーザーが設定したポーリングによる起動時毎に、サーバが定期的に自動でクライアント機器に予約番組情報およびバージョンアッププログラムをダウンロードすることができる。従来の技術では本体装置の起動のたびにファンが回転しノイズを発生するため、ノイズ低減のためにファンの回転数を制御していたが限界がある。
【００１８】
そこで、本発明の改善点としては温度検出手段による温度制御手段への温度検出値のフィードバックに加えて、時間制御手段により通信手段による少なくとも前回と今回の通信開始に基づく時間の値に基づいて冷却ファンの制御を行うことにより、時間軸でのファンの制御を行うことでノイズの低減を実現する。具体的には通信手段によるポーリングの期間は短時間のため、時間制御手段によりポーリング開始による起動時から一定時間の間ファンの動作を停止させる方法でノイズを低減することができる。この際、温度上昇が飽和時にファンを停止し短時間で再起動するとさらに温度が上昇する。そこで装置本体内の温度が飽和温度に達すると予測される時間に基づいてファンの制御を行うことにより温度を低減できる。
【００１９】
高速データ通信を可能とするネットワーク接続機能を持つ機器の通信手段によるポーリングの時間が短いことを利用して、時間制御手段により起動時から一定時間の間ファンを停止するように制御する。起動時から一定時間の間ファンを停止した場合温度が上昇するが停止時間が短ければ飽和するところまでは上昇しない。
【００２０】
その際に、装置本体内部の温度が飽和温度に到達後に、装置本体の電源電圧の供給を停止し、直後に装置本体の電源電圧の供給を開始することにより、装置本体内の温度が飽和温度を超えて上昇し、これを繰り替えされた場合、温度がさらに上昇するが、この場合の飽和温度を超える装置本体内の温度上昇を低減する。
【００２１】
ここで装置本体内の温度が飽和温度に達すると予測される時間に基づいてファンの制御を行うことによって効率的に冷却する。このように温度センサーを利用した制御と時間軸での制御を合わせてより信頼性の高い機器とすることが可能となる。
【００２２】
また、本発明のファン制御方法は、装置本体とネットワークを介して接続されているサーバーとの間で通信手段を用いて通信を行う通信ステップと、装置本体内の温度を温度検出手段を用いて検出する温度検出ステップと、温度検出手段により検出された温度の値に基づいて温度制御手段を用いて冷却ファンの制御を行う温度制御ステップと、通信手段による少なくとも前回と今回の通信開始に基づく時間の値に基づいて時間制御手段を用いて冷却ファンの制御を行う時間制御ステップとを備え、温度制御手段および時間制御手段とを用いて冷却ファンの制御を行うものである。
【００２３】
従って本発明によれば、以下の作用をする。
ネットワークに接続されたサーバーとの間で通信ステップを用いた通信機能をもつ本体装置でノイズ低減のために温度制御ステップおよび時間制御ステップとを用いて冷却ファンのファン制御を行う。
【００２４】
通信ステップには、ネットワーク接続機能のひとつとしてポーリングという機能がある。通信ステップにより、ユーザーが設定したポーリングによる起動時毎に、サーバが定期的に自動でクライアント機器に予約番組情報およびバージョンアッププログラムをダウンロードすることができる。
【００２５】
そこで、本発明は温度検出ステップによる温度制御ステップへの温度検出値のフィードバックに加えて、時間制御ステップにより通信ステップによる少なくとも前回と今回の通信開始に基づく時間の値に基づいて冷却ファンの制御を行うことにより、時間軸でのファンの制御を行うことでノイズの低減を実現する。具体的には通信ステップによるポーリングの期間は短時間のため、時間制御ステップによりポーリング開始による起動時から一定時間の間ファンの動作を停止させる方法でノイズを低減することができる。この際、温度上昇が飽和時にファンを停止し短時間で再起動するとさらに温度が上昇する。そこで装置本体内の温度が飽和温度に達すると予測される時間に基づいてファンの制御を行うことにより温度を低減できる。
【００２６】
高速データ通信を可能とするネットワーク接続機能を持つ機器の通信ステップによるポーリングの時間が短いことを利用して、時間制御ステップにより起動時から一定時間の間ファンを停止するように制御する。起動時から一定時間の間ファンを停止した場合温度が上昇するが停止時間が短ければ飽和するところまでは上昇しない。
【００２７】
その際に、装置本体内部の温度が飽和温度に到達後に、装置本体の電源電圧の供給を停止し、直後に装置本体の電源電圧の供給を開始することにより、装置本体内の温度が飽和温度を超えて上昇し、これを繰り替えされた場合、温度がさらに上昇するが、この場合の飽和温度を超える装置本体内の温度上昇を低減する。
【００２８】
ここで装置本体内の温度が飽和温度に達すると予測される時間に基づいてファンの制御を行うことによって効率的に冷却する。このように温度センサーを利用した制御と時間軸での制御を合わせてより信頼性の高い機器とすることが可能となる。
【００２９】
【発明の実施の形態】
以下に、本発明の実施の形態について適宜図面を参照しながら説明する。
【００３０】
図１は、本発明の実施の形態に適用されるファン制御システムの構成を示す図ロック図である。
図１において、ファン制御システムは、メインボード上に設けられて装置の動作を制御するＣＰＵ（Ｃｅｎｔｒａｌ  Ｐｒｏｃｅｓｓｉｎｇ  Ｕｎｉｔ）１と、着脱可能なディスク状記録媒体にオーディオデータおよびビデオデータを記録して再生可能なＤＶＤ−ＲＷ（Ｄｉｇｉｔａｌ  Ｖｅｒｓａｔｉｌｅ  ＤｉｃｓＲｅｗｒｉｔａｂｌｅ）２と、固定ディスクディスク状記録媒体にプログラムデータを記録して読み出し可能であると共に、オーディオデータおよびビデオデータを記録して再生可能なＨＤＤ（Ｈａｒｄ  Ｄｉｓｃ  Ｄｒｉｖｅ）３とを有して構成される。
【００３１】
ＣＰＵ１は、ネットワーク１０を介してサーバー１１と接続されて、サーバー１１とポーリングを行うことにより予約番組情報およびバージョンアッププログラムをダウンロードする通信機能を有し、タイマー予約１２によりユーザーが設定したポーリングによる起動時毎にスタンバイ状態からパワーオン状態に移行制御する状態制御機能を有し、タイマー予約１２によりユーザーが設定したポーリング開始による起動時から一定時間の間ファンの動作を停止させると共に、ポーリング開始による少なくとも前回と今回の通信開始に基づく時間の値に基づいて冷却ファンの制御を行う時間制御機能を有して構成される。ネットワーク１０は、高速データ通信を可能とする例えばＡＤＳＬ（非対称加入者伝送線：Ａｓｙｍｍｅｔｒｉｃ  Ｄｉｇｉｔａｌ  Ｓｕｂｓｃｒｉｂｅｒ  Ｌｉｎｅ）が適用される。
【００３２】
また、ファン制御システムは、ファンの動作を制御するサブマイコン４と、交流電源からＣＰＵ１およびサブマイコン４の５ボルト系駆動電源電圧、ファン、ＤＶＤ−ＲＷ２およびＨＤＤ３の１２ボルト系駆動電源電圧を生成する電源基板５と、第２のファン（ＦＡＮ２）８に対する１２ボルト系駆動電源電圧供給のための中継基板６と、第１のファン（ＦＡＮ１）７と、第２のファン（ＦＡＮ２）８と、内部温度を検出する温度センサ９とを有して構成される。
【００３３】
図６は、装置の内部配置を示す図である。
図６において、装置の前方から後方の中央にＤＶＤ―ＲＷ２およびＣＰＵ１周辺部搭載のメインボードが配置され、前方から後方の左側にＨＤＤ３および電源部が配置される。そして、前方中央のＤＶＤ―ＲＷ２の右側に外気吸入口ＩＮ１０１が配置され、ＨＤＤ３および電源部に対して直線状の後方左側に第１のファン（ＦＡＮ１）７が配置され、前方中央右側の外気吸入口ＩＮ１０１に対して直線状の後方中央右側に第２のファン（ＦＡＮ２）８が配置される。
【００３４】
ここで、ＩＮ６１から吸入された外気は、第１の流路として、第１のファン（ＦＡＮ１）７によりＯＵＴ（１）６２へと導かれるため、第１のファン（ＦＡＮ１）７は電源部とＨＤＤ３の冷却に使用される。また、ＩＮ６１から吸入された外気は、第２の流路として、第２のファン（ＦＡＮ２）８によりＯＵＴ（２）６３へと導かれるため、第２のファン（ＦＡＮ２）８はＣＰＵ１周辺とＤＶＤ―ＲＷ２の冷却に使用するように構成される。
【００３５】
ＣＰＵ１およびサブマイコン４が２台の第１のファン（ＦＡＮ１）７および第２のファン（ＦＡＮ２）８をファン制御プログラムで制御する。ＦＡＮの回転は回転検出端子ＦＡＮ＿ＰＵＬＳＥ１，２を使用して監視するように構成される。
【００３６】
温度センサ９は、装置本体内の温度を検出する温度検出手段を構成する。温度センサ９は、第１の流路および第２の流路が共に通る位置で、外気吸入口ＩＮ６１と第２のファン（ＦＡＮ２）８との間に配置される。
【００３７】
ＣＰＵ１およびサブマイコン４は、温度センサ９により検出された温度の値に基づいて第１のファン（ＦＡＮ１）７および第２のファン（ＦＡＮ２）８の制御を行う温度制御手段を構成する。
【００３８】
ＣＰＵ１は、装置本体とネットワーク１０を介して接続されているサーバー１１との間で通信を行う通信手段を構成する。
【００３９】
ＣＰＵ１は、サーバー１１との間の通信開始に基づく時間の値に基づいて第１のファン（ＦＡＮ１）７および第２のファン（ＦＡＮ２）８の制御を行う時間制御手段を構成する。
【００４０】
ＣＰＵ１は、通信機能によりサーバー１１との間で所定時間ごとに一定時間のポーリング通信を行い、時間制御機能により一定の時間の値の経過まで第１のファン（ＦＡＮ１）７および第２のファン（ＦＡＮ２）８の動作を停止するように構成される。
【００４１】
ＣＰＵ１は、さらに前回の通信終了と今回のポーリング通信開始に基づく時間の値に基づいて第１のファン（ＦＡＮ１）７および第２のファン（ＦＡＮ２）８の制御を行うように構成される。
【００４２】
ＣＰＵ１により、前回と今回のポーリング通信開始に基づく時間の値は、温度センサ９により検出された装置本体内の温度が飽和温度に達する時間に対応して設定されるように構成される。
【００４３】
ＣＰＵ１は、温度センサ９により検出された装置本体内の温度が飽和温度に達すると予測される時間の経過後に装置がパワーオフ状態にされ、その直後に装置がパワーオン状態にされたとき、第１のファン（ＦＡＮ１）７および第２のファン（ＦＡＮ２）８の制御を行うように構成される。
【００４４】
上述したように機器内部の温度は約１時間で飽和する。その際に、装置本体内部の温度が飽和温度に到達後に、装置本体の電源電圧の供給を停止し、直後に装置本体の電源電圧の供給を開始することにより、装置本体内の温度が飽和温度を超えて上昇し、これを繰り替えされた場合、温度がさらに上昇するが、この場合の飽和温度を超える装置本体内の温度上昇を低減する。
【００４５】
ここで装置本体内の温度が飽和温度に達すると予測される時間に基づいてファンの制御を行うことによって効率的に冷却する。このように温度センサーを利用した制御と時間軸での制御を合わせてより信頼性の高い機器とすることが可能となる。
【００４６】
そこでＣＰＵ１に対してタイマー予約１２によりユーザーが設定可能なタイマーを使用し、図５に示すように、ＣＰＵ１は、前回の装置本体の電源電圧の供給を開始（パワーオン）５１と今回の装置本体の電源電圧の供給の開始（パワーオン）５３までの時間（以下、Ｔｏｎ５４とする。）、および前回の装置本体の電源電圧の供給の停止（パワーオフ）５２と今回の装置本体の電源電圧の供給の開始（パワーオン）５３までの時間（以下、Ｔｏｆｆ５５とする。）を認識して、基準時間と比較判断することで機器の温度上昇ステータスを判断し、第１のファン（ＦＡＮ１）７および第２のファン（ＦＡＮ２）８停止のキャンセルが可能となる制御を行う。ここで、装置本体の電源電圧の供給の開始（パワーオン）および装置本体の電源電圧の供給の停止（パワーオフ）に限らず、ポーリングに伴う第１のファン（ＦＡＮ１）７および第２のファン（ＦＡＮ２）８の回転開始および回転停止を含むものとする。
【００４７】
Ｔｏｎ５４が１時間以上でかつＴｏｆｆ５５が５分間以内のときは、第１のファン（ＦＡＮ１）７および第２のファン（ＦＡＮ２）８を高速回転処理のフローへ送ることで、機器内の温度の急速な上昇を防ぐことができる。
【００４８】
その条件を満たしていない場合は、温度上昇が飽和していないことを意味するため、第１のファン（ＦＡＮ１）７および第２のファン（ＦＡＮ２）８を所定の時間停止するだけの温度上昇マージンをもっていることを意味しており、安全に通常どおり第１のファン（ＦＡＮ１）７および第２のファン（ＦＡＮ２）８を所定の時間停止する処理を可能とする。
【００４９】
ここで、Ｔｏｎ５４が１時間以上でＴｏｆｆ５５が５分以内のとき、第１のファン（ＦＡＮ１）７および第２のファン（ＦＡＮ２）８を高速回転させないと、機内温度はファンがある場合の飽和温度以上になる。そこで、第１のファン（ＦＡＮ１）７および第２のファン（ＦＡＮ２）８を高速回転させると、機内温度は飽和温度に近づくようになる。
【００５０】
このように構成される本発明の実施の形態に適用されるファン制御システムの動作を以下に説明する。
【００５１】
まず、この装置本体の動作の前提となるポーリング設定動作について説明する。
図２は、ポーリング設定動作を示すフローチャートである。
図２において、ステップＳ１で、ユーザーによるタイマー予約設定を行う。具体的には、タイマー予約１２によりＣＰＵ１に対してユーザーはポーリングにより装置を起動するタイマー予約時を設定する。
【００５２】
ステップＳ２で、本体はスタンバイ状態に移行する。具体的には、タイマー予約１２の設定完了によりＣＰＵ１は状態制御機能によりパワーオン状態からスタンバイ状態に移行するように制御する。
【００５３】
ステップＳ３で、タイマー予約時間であるか否かを判断する。具体的には、ＣＰＵ１はタイマー予約１２の設定がされたタイマー予約時間であるか否かを判断する。
【００５４】
ステップＳ３でタイマー予約時間となったときは、ステップＳ４に移行して、ステップＳ４で、本体はパワーオン状態に移行する。具体的には、タイマー予約１２により設定したにタイマー予約時間となったときＣＰＵ１は状態制御機能によりスタンバイ状態からパワーオン状態に移行するように制御する。
【００５５】
ステップＳ５で、常時接続のＡＤＳＬ回線により本体からサーバーへデータを取りにいく。具体的には、ＣＰＵ１は通信機能により常時接続のＡＤＳＬ回線によるネットワーク１０を介してサーバー１１との間でタイマー予約時間ごとに一定時間のポーリング通信を行い、予約番組情報およびバージョンアッププログラムをダウンロードする。
【００５６】
ステップＳ６で、ポーリングが終了したか否かを判断する。具体的には、ＣＰＵ１はサーバー１１との間のポーリング通信が終了したか否かを判断する。
ステップＳ６でポーリングが終了していないときは、ステップＳ５へ戻って、ＣＰＵ１はサーバー１１との間のポーリング通信を終了するまで継続する。
【００５７】
ステップＳ６でポーリングが終了したときは、ステップＳ２へ戻って、本体はスタンバイ状態に移行する。そして、ステップＳ３で次回のタイマー予約時間となったときは、ステップＳ４に移行して、ステップＳ４で、本体はパワーオン状態に移行し、ステップＳ５で、ポーリング通信を終了するまで継続する。以後、ステップＳ２〜ステップＳ６までの処理および判断をポーリングの終了時間および設定されたタイマー予約時間ごとに繰り返す。
【００５８】
次に、パワーオン状態に移行してからのファン制御動作について説明する。
図３は、ファン制御動作を示すフローチャートである。図３は、図２に示したステップＳ４の本体がパワーオン状態に移行した後のファン制御動作である。
【００５９】
ステップＳ１１で、装置本体がパワーオンに移行する。具体的には、図２に示したステップＳ４においてタイマー予約１２により設定したにタイマー予約時間となったときＣＰＵ１は状態制御機能によりスタンバイ状態からパワーオン状態に移行するように制御する。
【００６０】
ステップＳ１２で、停止設定を行う。具体的には、ＣＰＵ１はサブマイコン４に対して、停止条件として、ファン制御プログラムで制御される第１のファン制御端子ＦＡＮ＿ＣＯＮＴ１をローレベルＬｏｗ、第２のファン制御端子ＦＡＮ＿ＣＯＮＴ２をローレベルＬｏｗ、およびファン切替制御端子ＦＡＮ２−ＳＷ：Ｌｏｗとする。これにより、電源基板５および中継基板６から第１のファン（ＦＡＮ１）７および第２のファン（ＦＡＮ２）８に対する１２ボルト系駆動電源電圧供給が停止されるので、第１のファン（ＦＡＮ１）７および第２のファン（ＦＡＮ２）８は共に停止状態となる。
【００６１】
ステップＳ１３で、装置本体の内部温度が５５度以上であるか否かを判断する。具体的には、ＣＰＵ１はサブマイコン４に対して、温度センサ９により検出された温度の値が５５度以上であるか否かを判断する。
【００６２】
これにより、従来技術のように温度を優先した制御をすると起動時に５分間ファンを停止することはできないと共に、停止時間を一定に設定することができない。これに対して、本発明の実施の形態では、ＣＰＵ１はサブマイコン４に対して、機器内部の温度は温度センサ９により測定させ、第１のファン（ＦＡＮ１）７および第２のファン（ＦＡＮ２）８からは回転数に対応したパルスを発生させて回転検出端子ＦＡＮ＿ＰＵＬＳＥ１，２を用いて状態を監視させると共に、第１のファン（ＦＡＮ１）７および第２のファン（ＦＡＮ２）８に対する１２ボルト系駆動電源電圧供給の制御を行わせる。
【００６３】
ステップＳ１３で装置本体の内部温度が５５度以上でないときは、ステップＳ１４へ移行して、ステップＳ１４で、装置本体の内部温度が３５度以上であるか否かを判断する。具体的には、ＣＰＵ１はサブマイコン４に対して、温度センサ９により検出された温度の値が３５度以上であるか否かを判断する。なお、３５℃は使用デバイスの保証温度である。
【００６４】
ステップＳ１４で装置本体の内部温度が３５度以上でないときは、ステップＳ１５へ移行して、ステップＳ１５で、Ｔｏｎ＜１時間であるか否かを判断する。
【００６５】
ステップＳ１５でＴｏｎ＜１時間でないときは、ステップＳ１６へ移行して、ステップＳ１６で、Ｔｏｆｆ＜５  分であるか否かを判断する。
【００６６】
ステップＳ１６でＴｏｆｆ＜５  分であるときは、ステップＳ２１へ移行して、ステップＳ２１で、高速回転設定を行う。具体的には、ＣＰＵ１はサブマイコン４に対して、高速回転条件として、ファン制御プログラムで制御される第１のファン制御端子ＦＡＮ＿ＣＯＮＴ１をハイレベルＨｉｇｈ、第２のファン制御端子ＦＡＮ＿ＣＯＮＴ２をハイレベルＨｉｇｈ、およびファン切替制御端子ＦＡＮ２−ＳＷをハイレベルＨｉｇｈとする。これにより、電源基板５および中継基板６から第１のファン（ＦＡＮ１）７および第２のファン（ＦＡＮ２）８に対する１２ボルト系駆動電源電圧供給が高速回転設定に対応した電圧値またはパルス幅のデューティで行われるので、第１のファン（ＦＡＮ１）７および第２のファン（ＦＡＮ２）８は共に高速回転状態となる。
【００６７】
これにより、Ｔｏｎが１時間以上でＴｏｆｆが５分以内のとき、第１のファン（ＦＡＮ１）７および第２のファン（ＦＡＮ２）８を高速で回転させて内部を冷却して、機内温度が飽和温度に近づくように冷却することができる。
【００６８】
具体的には、ＣＰＵ１は時間制御機能によりタイマー予約１２でユーザーが設定したタイマーを使用し、図５で示すように、前回の装置本体の電源電圧の供給を開始（パワーオン）５１と今回の装置本体の電源電圧の供給の開始（パワーオン）５３までの時間Ｔｏｎ５４、および前回の装置本体の電源電圧の供給の停止（パワーオフ）５２と今回の装置本体の電源電圧の供給の開始（パワーオン）５３までの時間Ｔｏｆｆ５５を認識して、基準時間と比較判断することで機器の温度上昇ステータスを判断し、第１のファン（ＦＡＮ１）７および第２のファン（ＦＡＮ２）８停止のキャンセルが可能となる制御を行う。ここで、装置本体の電源電圧の供給の開始（パワーオン）および装置本体の電源電圧の供給の停止（パワーオフ）に限らず、ポーリングに伴う第１のファン（ＦＡＮ１）７および第２のファン（ＦＡＮ２）８の回転開始および回転停止を含むものとする。
【００６９】
Ｔｏｎ５４が１時間以上でかつＴｏｆｆ５５が５分間以内のときは、第１のファン（ＦＡＮ１）７および第２のファン（ＦＡＮ２）８を高速回転処理のフローへ送ることで、機器内の温度の急速な上昇を防ぐことができる。
【００７０】
その条件を満たしていない場合は、温度上昇が飽和していないことを意味するため、第１のファン（ＦＡＮ１）７および第２のファン（ＦＡＮ２）８を所定の時間停止するだけの温度上昇マージンをもっていることを意味しており、安全に通常どおり第１のファン（ＦＡＮ１）７および第２のファン（ＦＡＮ２）８を所定の時間停止する処理を可能とする。
【００７１】
ここで、Ｔｏｎ５４が１時間以上でＴｏｆｆ５５が５分以内のとき、第１のファン（ＦＡＮ１）７および第２のファン（ＦＡＮ２）８を高速回転させないと、機内温度はファンがある場合の飽和温度以上になる。そこで、第１のファン（ＦＡＮ１）７および第２のファン（ＦＡＮ２）８を高速回転させると、機内温度は飽和温度に近づくようになる。
【００７２】
ステップＳ１５でＴｏｎ＜１時間であるとき、およびステップＳ１６でＴｏｆｆ＜５  分でないときは、ステップＳ１７へ移行して、ステップＳ１７で、装置本体がパワーオンに移行してから５分が経過したかた否かを判断する。具体的には、ＣＰＵ１は時間制御機能により一定の時間、ここでは５分が経過しかた否かを判断する。なお、一定時間の値は、ＣＰＵ１がサーバー１１との間のポーリング通信が終了する時間に対応するように、タイマー予約１２によりＣＰＵ１に対してユーザーが設定可能である。また、一定時間の値は、ＣＰＵ１がサーバー１１との間のポーリング通信が終了する時間に対応するように、複数のポーリング時間をサンプリングして設定することも可能である。
【００７３】
ステップＳ１７で装置本体がパワーオンに移行してから５分が経過していないときは、ステップＳ１３へ戻って、ステップＳ１３で装置本体の内部温度が５５度以上であるか否かの判断、ステップＳ１４で装置本体の内部温度が３５度以上であるか否かの判断、ステップＳ１５でＴｏｎ＜１時間であるか否かの判断、ステップＳ１６でＴｏｆｆ＜５  分であるか否かを判断、およびステップＳ１７で装置本体がパワーオンに移行してから５分が経過したかた否かの判断を繰り返す。
【００７４】
これにより、起動時から５分間程度とポーリングの時間が短いので、時間軸の制御としてこの期間は第１のファン（ＦＡＮ１）７および第２のファン（ＦＡＮ２）８を停止するように制御することにより、ポーリング開始によるスタンバイ状態からパワーオン状態に移行しても、ファンの動作を一定時間停止させてポーリング時に静粛さを保つことで騒音品質を向上させ、消費電力を低減させることができる。
【００７５】
ステップＳ１７で装置本体がパワーオンに移行してから５分が経過したときは、ステップＳ１８へ移行して、ステップＳ１８で、低速回転設定を行う。具体的には、ＣＰＵ１はサブマイコン４に対して、低速回転条件として、ファン制御プログラムで制御される第１のファン制御端子ＦＡＮ＿ＣＯＮＴ１をハイレベルＨｉｇｈ、第２のファン制御端子ＦＡＮ＿ＣＯＮＴ２をローレベルＬｏｗ、およびファン切替制御端子ＦＡＮ２−ＳＷをローレベルｌｏｗとする。これにより、電源基板５および中継基板６から第１のファン（ＦＡＮ１）７に対する１２ボルト系および２４ボルト系駆動電源電圧供給が低速回転設定に対応した電圧値またはパルス幅のデューティで行われるので、第１のファン（ＦＡＮ１）７のみが低速回転状態となる。
【００７６】
これにより、ＣＰＵ１はサブマイコン４に対して、起動時から５分以降は第１のファン（ＦＡＮ１）７を低速で回転させるように駆動電圧またはパルス幅のデューティを低く設定し、起動時第１のファン（ＦＡＮ１）７および第２のファン（ＦＡＮ２）８を停止した場合温度が上昇するが短時間のため飽和するところまでは上昇しないようにして、ポーリング終了時に静粛さを保つことで騒音品質を向上させ、消費電力を低減させることができる。
【００７７】
ステップＳ１９で、装置本体の内部温度が５５度以上であるか否かを判断する。具体的には、ＣＰＵ１はサブマイコン４に対して、温度センサ９により検出された温度の値が５５度以上であるか否かを判断する。
【００７８】
ステップＳ１９で装置本体の内部温度が５５度以上でないときは、ステップＳ２０へ移行して、ステップＳ２０で、装置本体の内部温度が３５度以上であるか否かを判断する。具体的には、ＣＰＵ１はサブマイコン４に対して、温度センサ９により検出された温度の値が３５度以上であるか否かを判断する。
【００７９】
ステップＳ２０で装置本体の内部温度が３５度以上でないときは、ステップＳ１９へ戻って、ステップＳ１９で装置本体の内部温度が５５度以上であるか否かの判断、およびステップＳ２０で装置本体の内部温度が３５度以上であるか否かの判断を繰り返す。
【００８０】
ステップＳ１４およびステップＳ２０で装置本体の内部温度が３５度以上のときは、ステップＳ２１へ移行して、ステップＳ２１で、高速回転設定を行う。具体的には、ＣＰＵ１はサブマイコン４に対して、高速回転条件として、ファン制御プログラムで制御される第１のファン制御端子ＦＡＮ＿ＣＯＮＴ１をハイレベルＨｉｇｈ、第２のファン制御端子ＦＡＮ＿ＣＯＮＴ２をハイレベルＨｉｇｈ、およびファン切替制御端子ＦＡＮ２−ＳＷをハイレベルＨｉｇｈとする。これにより、電源基板５および中継基板６から第１のファン（ＦＡＮ１）７および第２のファン（ＦＡＮ２）８に対する１２ボルト系駆動電源電圧供給が高速回転設定に対応した電圧値またはパルス幅のデューティで行われるので、第１のファン（ＦＡＮ１）７および第２のファン（ＦＡＮ２）８は共に高速回転状態となる。
【００８１】
これにより、内部温度が３５℃以上になったら第１のファン（ＦＡＮ１）７および第２のファン（ＦＡＮ２）８を高速で回転させて内部を冷却して、使用デバイスの保証温度である内部温度を３５℃以下に冷却することができる。
【００８２】
ステップＳ２２で、装置本体の内部温度が５５度以上であるか否かを判断する。具体的には、ＣＰＵ１はサブマイコン４に対して、温度センサ９により検出された温度の値が５５度以上であるか否かを判断する。
【００８３】
ステップＳ２２で装置本体の内部温度が５５度以上でないときは、ステップＳ２３へ移行して、ステップＳ２３で、装置本体の内部温度が３５度以下であるか否かを判断する。具体的には、ＣＰＵ１はサブマイコン４に対して、温度センサ９により検出された温度の値が３５度以下であるか否かを判断する。
【００８４】
ステップＳ２３で装置本体の内部温度が３５度以下でないときは、ステップＳ２２へ戻って、ステップＳ２２で装置本体の内部温度が５５度以上であるか否かの判断、およびステップＳ２３で装置本体の内部温度が３５度以下であるか否かの判断を繰り返す。
【００８５】
ステップＳ２３で装置本体の内部温度が３５度以下のときは、ステップＳ１８へ戻って、ステップＳ１８で低速回転設定、ステップＳ１９で装置本体の内部温度が５５度以上であるか否かの判断、およびステップＳ２０で装置本体の内部温度が３５度以上であるか否かの判断、並びにステップＳ２１で高速回転設定、ステップＳ２２で装置本体の内部温度が５５度以上であるか否かの判断、およびステップＳ２３で装置本体の内部温度が３５度以下であるか否かの判断を繰り返す。
【００８６】
ステップＳ１３、ステップＳ１９およびステップＳ２２で装置本体の内部温度が５５度以上のときは、ステップＳ２４へ移行して、ステップＳ２４で、エマージェンシー処理を行う。具体的には、ＣＰＵ１はサブマイコン４に対して、５５℃は内部温度の異常と考えられるので、例えば、ＣＰＵ１は状態制御機能によりパワーオン状態からパワーオフ状態に移行するように制御することにより、エマージェンシー処理を行うようにした。
【００８７】
これにより、温度センサ９によるＣＰＵ１およびサブマイコン４に対する温度値のフィードバックによってＣＰＵ１はサブマイコン４に対して温度を監視させ、温度上昇時の第１のファン（ＦＡＮ１）７および第２のファン（ＦＡＮ２）８の高速回転対応と異常高温時（５５度以上）のエマージェンシ対応を行うことができる。
【００８８】
これにより、ネットワーク接続機能をもった機器のポーリング時の静粛化と電源オン時のファン停止による消費電力を低減させる。その際に、装置本体内の温度が飽和温度に達すると予測される時間に基づいてファンの制御を行うことにより、装置本体内の温度を低減させる効果を奏する。
【００８９】
図４は、動作を示すタイムチャートであり、図４Ａは装置本体の機内温度、図４Ｂは装置本体のパワー、図４Ｃは第１のファン（ＦＡＮ１）７および第２のファン（ＦＡＮ２）８の動作、図４Ｄはポーリング動作を示すものである。
【００９０】
図４において、Ｔ０〜Ｔ１までは図４Ｂに示す装置本体はパワーオフ状態である。Ｔ１〜Ｔ４（Ｔ２〜Ｔ３を含む）までの図４Ｄに示すポーリング動作による番組予約データおよびプログラム転送４１のために、Ｔ１以降は、図４Ｂに示す装置本体はパワーオン状態に移行する。この動作は、図３におけるステップＳ１１で示したパワーオン状態に対応する。
【００９１】
実際には、番組予約データおよびプログラム転送４１（Ｔ２〜Ｔ３）の前後に装置本体とサーバーとの間で転送のための装置本体のサーバーに対する認識（Ｔ１〜Ｔ２）および転送後の確認（Ｔ３〜Ｔ４）のための通信が行われる。
【００９２】
Ｔ０〜Ｔ４までは図４Ｃに示す第１のファン（ＦＡＮ１）７および第２のファン（ＦＡＮ２）８の動作は、Ｔ０〜Ｔ１までは図４Ｂに示す装置本体はパワーオフ状態であり、Ｔ１〜Ｔ４までの図４Ｄに示すポーリング動作によるポーリング中はオフであり静粛状態４０となる。Ｔ１〜Ｔ４までが例えば５分に相当する。この動作は、図３におけるステップＳ１２で示した停止設定およびステップＳ１５で示した装置本体がパワーオンに移行してから５分が経過したかた否かの判断に対応する。
【００９３】
Ｔ４〜Ｔ５までは、図４Ｃに示す第１のファン（ＦＡＮ１）７の動作は、オンとなり、低速回転動作をする。この動作は、図３におけるステップＳ１６で示した低速回転設定に対応する。
【００９４】
Ｔ１〜Ｔ４までの図４Ｄに示すポーリング動作による図４Ｃに示す第１のファン（ＦＡＮ１）７および第２のファン（ＦＡＮ２）８のオフ動作により、図４Ａに示す装置本体の機内温度は急に上昇するが、飽和温度４６には到達せず、Ｔ４時点による図４Ｃに示す第１のファン（ＦＡＮ１）７のオン動作により、４２で示すように、一旦低下した後に緩やかに上昇する。Ｔ６時点で、ファンの動作がないときの飽和温度４６を示している。
【００９５】
Ｔ４時点による図４Ｃに示す第１のファン（ＦＡＮ１）７のオン動作によっても、図４Ａに示す装置本体の機内温度はＴ７時点でファンの動作があるときの飽和温度４７に到達してしまう。Ｔ７時点で、ファンの動作があるときの飽和温度４７を示している。
【００９６】
なお、起動時にファンを短時間停止したときの温度上昇への影響は少ないものとなる。その理由は機内温度の飽和するまでの時間が長いために起動時の短時間のファンの停止は影響がないためである。
【００９７】
そこで、Ｔ５〜Ｔ８までは図４Ｃに示す第１のファン（ＦＡＮ１）７および第２のファン（ＦＡＮ２）８のオン動作により、４３で示すように、高温時に高速回転して温度を低減する。この動作は、図３におけるステップＳ１９で示した高速回転設定に対応する。
【００９８】
Ｔ８〜Ｔ９までは、図４Ｃに示す第１のファン（ＦＡＮ１）７および第２のファン（ＦＡＮ２）８の動作は、４４で示すように、第２のファン（ＦＡＮ２）８のみがオフとなり静粛状態となる。この動作は、図３におけるステップＳ２１で装置本体の内部温度が３５度以上であると判断したときにステップＳ１６で示した低速回転設定に移行する場合に対応する。
【００９９】
Ｔ９〜Ｔ１０までは図４Ｃに示す第１のファン（ＦＡＮ１）７のオン動作により、４５で示すように、高温時に低速回転して温度を低減する。この動作は、図３におけるステップＳ１６で示した低速回転設定に対応する。
【０１００】
４７で示すように機器内部の温度は約１時間で飽和温度に達する。その後、Ｔ１０時点で、装置本体内部の温度が飽和温度に到達後に、装置本体の電源電圧の供給を停止（パワーオフ）し、直後のＴ１１時点で装置本体の電源電圧の供給を開始（パワーオン）することにより、４８で示すように装置本体内の温度が飽和温度を超えて上昇し、このパワーオンとパワーオフとを複数回繰り替えされた場合、温度がさらに上昇するが、Ｔ１１時点で、４９で示すように高速回転して飽和温度を超える装置本体内の温度上昇を低減温度を低減して、飽和温度に近づけるようにする。この動作は、図３におけるステップＳ１５でＴｏｎ＜１時間でないとの判断、ステップＳ１６でＴｏｆｆ＜５  分であるとの判断、およびステップＳ２１で示した高速回転設定に対応する。
【０１０１】
以下に、出願人による実験結果に基き機内の温度上昇の低減の動作について説明する。セット温度測定条件として、ＨＤＤ３は録音動作状態（ＲＥＣ）およびＤＶＤ−ＲＷ２は再生動作状態（ＰＢ）であって、飽和温度になった後パワーオフとパワーオンを繰り返し１０回測定して、温度センサ９による機内温度測定ポイントとして、電源部のヒートシンクおよび各デバイスを対象とした。
【０１０２】
機内の温度が飽和温度になってパワーオフとパワーオンを５分以内で繰り返す実験を行った。ファンが回転しない状態が続くので機内の各部の温度は上昇する。１回目で温度は飽和温度以上になる。３回目のパワーオン後温度センサ９が３５℃以上になりファンが高速回転し温度は下がる。このままパワーオンの状態で継続すると再度飽和温度になる。上記実験ではさらにパワーオンを繰り返すので温度が再度上昇する。上記温度変化が繰り返し１０回のパワーオフとパワーオンのあとは通常に戻り最後は飽和温度になる。この場合、ファンを高速回転しないと飽和温度以上になる。また上述した時間制御機能により、ファンを高速回転すると飽和温度にすばやく戻る。
【０１０３】
１回目のパワーオフとパワーオンで温度が上昇する。ここで、ファンが高速回転すれば温度は下がり再度飽和温度に近づく。しかし、再度パワーオフとパワーオンを繰り返すため温度が上昇する。３回目のパワーオフとパワーオンで温度センサ９が３５℃以上になりファンが高速回転になり温度が下がる。このままパワーオンの状態を継続すれば飽和温度になる。１０回のパワーオフとパワーオン後飽和温度にもどる。
【０１０４】
これにより、ネットワーク接続機能をもった機器のポーリング時の静粛化と電源オン時のファン停止による消費電力の低減の効果がある。その際に、装置本体内の温度が飽和温度に達すると予測される時間に基づいてファンの制御を行うことにより、装置本体内の温度を低減させることができ、機器のタイマーを使用することにより効率的な冷却の効果もあり信頼性が向上するという効果を奏する。
【０１０５】
上述した本発明の実施の形態は、これに限らず、本発明の特許請求の範囲を逸脱しない限り、適宜変更して適用することができることは言うまでもない。
【０１０６】
【発明の効果】
この発明のファン制御装置は、装置本体内に設けられた冷却ファンにより上記装置本体内の冷却を行うファン制御装置において、上記装置本体内の温度を検出する温度検出手段と、上記温度検出手段により検出された温度の値に基づいて上記冷却ファンの制御を行う温度制御手段と、上記装置本体とネットワークを介して接続されているサーバーとの間で通信を行う通信手段と、上記通信手段による少なくとも前回と今回の通信開始に基づく時間の値に基づいて上記冷却ファンの制御を行う時間制御手段とを備え、上記温度制御手段および上記時間制御手段とを用いて上記冷却ファンの制御を行うので、温度検出手段による温度制御手段への温度検出値のフィードバックに加えて、時間制御手段により通信手段による通信開始に基づく時間の値に基づいて冷却ファンの制御を行うことにより、時間軸でのファンの制御を行うことでノイズの低減を実現することができ、その際に、装置本体内の温度が飽和温度に達すると予測される時間に基づいてファンの制御を行うことにより、装置本体内の温度を低減させることができ、機器のタイマーを使用することにより効率的な冷却の効果もあり信頼性が向上するという効果を奏する。
【０１０７】
また、この発明のファン制御装置は、上述において、上記通信手段は、所定時間ごとに一定時間の通信を行い、上記時間制御手段は上記一定の時間の値の経過まで上記冷却ファンの動作を停止するので、通信手段によるポーリングの期間は短時間のため、時間制御手段によりポーリング開始による起動時から一定時間の間ファンの動作を停止させる方法でノイズを低減することができ、その際に、時間に基づいてファンの制御を行うことにより、ネットワーク接続機能をもった機器のポーリング時の静粛化と電源オン時のファン停止による消費電力を低減させることができ、装置本体内の温度を低減させることができるという効果を奏する。
【０１０８】
また、この発明のファン制御装置は、上述において、上記時間制御手段は、さらに前回の通信終了と今回の通信開始に基づく時間の値に基づいて上記冷却ファンの制御を行うので、前回の通信終了と今回の通信開始の間の時間が比較的短い、例えば５分以内のとき、飽和温度以下には温度が下がらないと予測して、ファンの制御を行うことにより、装置本体内の温度を低減させることができるという効果を奏する。
【０１０９】
また、この発明のファン制御装置は、上述において、上記前回と今回の通信開始に基づく時間の値は、上記温度検出手段により検出された上記装置本体内の温度が飽和温度に達する時間に対応するので、装置本体内の温度が飽和温度に達すると予測される時間に基づいてファンの制御を行うことができるという効果を奏する。
【０１１０】
また、この発明のファン制御装置は、上述において、上記時間制御手段は、上記温度検出手段により検出された上記装置本体内の温度が飽和温度に達すると予測される時間の経過後に上記装置がパワーオフ状態にされ、その直後に上記装置がパワーオン状態にされたとき、上記冷却ファンの制御を行うので、装置本体内の温度が飽和温度を超えて上昇し、このパワーオンとパワーオフとを複数回繰り替えされた場合、温度がさらに上昇するが、ファンを高速回転して飽和温度を超える装置本体内の温度上昇を止めて、温度を低減して、飽和温度に近づけるようにすることができるという効果を奏する。
【０１１１】
また、この発明のファン制御方法は、装置本体内に設けられた冷却ファンにより上記装置本体内の冷却を行うファン制御方法において、上記装置本体とネットワークを介して接続されているサーバーとの間で通信手段を用いて通信を行う通信ステップと、上記装置本体内の温度を温度検出手段を用いて検出する温度検出ステップと、上記温度検出手段により検出された温度の値に基づいて温度制御手段を用いて上記冷却ファンの制御を行う温度制御ステップと、上記通信手段による少なくとも前回と今回の通信開始に基づく時間の値に基づいて時間制御手段を用いて上記冷却ファンの制御を行う時間制御ステップとを備え、上記温度制御手段および上記時間制御手段とを用いて上記冷却ファンの制御を行うので、温度検出ステップによる温度制御ステップへの温度検出値のフィードバックに加えて、時間制御ステップにより通信ステップによる通信開始に基づく時間の値に基づいて冷却ファンの制御を行うことにより、時間軸でのファンの制御を行うことでノイズの低減を実現することができ、その際に、装置本体内の温度が飽和温度に達すると予測される時間に基づいてファンの制御を行うことにより、装置本体内の温度を低減させることができ、機器のタイマーを使用することにより効率的な冷却の効果もあり信頼性が向上するという効果を奏する。
【０１１２】
また、この発明のファン制御方法は、上述において、上記通信ステップは、所定時間ごとに一定時間の通信を行い、上記時間制御ステップは上記一定の時間の値の経過まで上記冷却ファンの動作を停止するので、通信ステップによるポーリングの期間は短時間のため、時間制御ステップによりポーリング開始による起動時から一定時間の間ファンの動作を停止させる方法でノイズを低減することができ、これにより、ネットワーク接続機能をもった機器のポーリング時の静粛化と電源オン時のファン停止による消費電力を低減させることができ、その際に、時間に基づいてファンの制御を行うことにより、ネットワーク接続機能をもった機器のポーリング時の静粛化と電源オン時のファン停止による消費電力を低減させることができ、装置本体内の温度を低減させることができるという効果を奏する。
【０１１３】
また、この発明のファン制御方法は、上述において、上記時間制御ステップは、さらに前回の通信終了と今回の通信開始に基づく時間の値に基づいて上記冷却ファンの制御を行うので、前回の通信終了と今回の通信開始の間の時間が比較的短い、例えば５分以内のとき、飽和温度以下には温度が下がらないと予測して、ファンの制御を行うことにより、装置本体内の温度を低減させることができるという効果を奏する。
【０１１４】
また、この発明のファン制御方法は、上述において、上記前回と今回の通信開始に基づく時間の値は、上記温度検出ステップにより検出された上記装置本体内の温度が飽和温度に達する時間に対応するので、装置本体内の温度が飽和温度に達すると予測される時間に基づいてファンの制御を行うことができるという効果を奏する。
【０１１５】
また、この発明のファン制御方法は、上述において、上記時間制御ステップは、上記温度検出ステップにより検出された上記装置本体内の温度が飽和温度に達すると予測される時間の経過後に上記装置がパワーオフ状態にされ、その直後に上記装置がパワーオン状態にされたとき、上記冷却ファンの制御を行うので、装置本体内の温度が飽和温度を超えて上昇し、このパワーオンとパワーオフとを複数回繰り替えされた場合、温度がさらに上昇するが、ファンを高速回転して飽和温度を超える装置本体内の温度上昇を止めて、温度を低減して、飽和温度に近づけるようにすることができるという効果を奏する。
【図面の簡単な説明】
【図１】本発明の実施の形態に適用されるファン制御システムの構成を示す図である。
【図２】ポーリング設定動作を示すフローチャートである。
【図３】ファン制御動作を示すフローチャートである。
【図４】動作を示すタイムチャートであり、図４Ａは装置本体の機内温度、図４Ｂは装置本体のパワー、図４Ｃは第１のファン（ＦＡＮ１）７および第２のファン（ＦＡＮ２）８の動作、図４Ｄはポーリング動作を示すものである。
【図５】Ｔｏｎ，Ｔｏｆｆの定義を示す図である。
【図６】装置の内部配置を示す図である。
【符号の説明】
１……ＣＰＵ、２……ＤＶＤ−ＲＷ、３……ＨＤＤ、４……サブマイコン、５……電源基板、６……中継基板、７……第１のファン（ＦＡＮ１）、１２……、８……第２のファン（ＦＡＮ２）、９……温度センサ、１０……ネットワーク（ＡＤＳＬ）、１１……サーバー、１２……タイマー予約、５１……以前のパワーオン、５２……以前のパワーオフ、５３……Ｔｏｆｆ、５４……Ｔｏｎ
【図１】
2004259204.tif 000003
【図２】
2004259204.tif 000004
【図３】
2004259204.tif 000005
【図４】
2004259204.tif 000006
【図５】
2004259204.tif 000007
【図６】
2004259204.tif 000008
【手続補正書】
【提出日】平成16年4月7日(2004.4.7)
【手続補正１】
【補正対象書類名】明細書
【補正対象項目名】００３０
【補正方法】変更
【補正の内容】
【００３０】
図１は、本発明の実施の形態に適用されるファン制御システムの構成を示すブロック図である。
図１において、ファン制御システムは、メインボード上に設けられて装置の動作を制御するＣＰＵ（Ｃｅｎｔｒａｌ  Ｐｒｏｃｅｓｓｉｎｇ  Ｕｎｉｔ）１と、着脱可能なディスク状記録媒体にオーディオデータおよびビデオデータを記録して再生可能なＤＶＤ−ＲＷ（Ｄｉｇｉｔａｌ  Ｖｅｒｓａｔｉｌｅ  Ｄｉｃｓ  Ｒｅｗｒｉｔａｂｌｅ）２と、固定ディスク状記録媒体にプログラムデータを記録して読み出し可能であると共に、オーディオデータおよびビデオデータを記録して再生可能なＨＤＤ（Ｈａｒｄ  Ｄｉｓｃ  Ｄｒｉｖｅ）３とを有して構成される。


【手続補正２】
【補正対象書類名】明細書
【補正対象項目名】００４６
【補正方法】変更
【補正の内容】
【００４６】
そこでＣＰＵ１に対してタイマー予約１２によりユーザーが設定可能なタイマーを使用し、図５に示すように、ＣＰＵ１は、前回の装置本体の電源電圧の供給を開始（パワーオン）５１と今回の装置本体の電源電圧の供給の開始（パワーオン）５３までの時間(以下、Ｔｏｎ５４とする。)、および前回の装置本体の電源電圧の供給の停止（パワーオフ）５２と今回の装置本体の電源電圧の供給の開始（パワーオン）５３までの時間(以下、Ｔｏｆｆ５５とする。)を認識して、基準時間と比較判断することで機器の温度上昇ステータスを判断し、第１のファン(ＦＡＮ１)７および第２のファン(ＦＡＮ２)８停止のキャンセルが可能となる制御を行う。ここでの開始、停止は、装置本体の電源電圧の供給の開始（パワーオン）および装置本体の電源電圧の供給の停止（パワーオフ）に限らず、ポーリングに伴う第１のファン(ＦＡＮ１)７および第２のファン(ＦＡＮ２)８の回転開始および回転停止を含むものとする。


【手続補正３】
【補正対象書類名】明細書
【補正対象項目名】００６８
【補正方法】変更
【補正の内容】
【００６８】
具体的には、ＣＰＵ１は時間制御機能によりタイマー予約１２でユーザーが設定したタイマーを使用し、図５で示すように、前回の装置本体の電源電圧の供給を開始（パワーオン）５１と今回の装置本体の電源電圧の供給の開始（パワーオン）５３までの時間Ｔｏｎ５４、および前回の装置本体の電源電圧の供給の停止（パワーオフ）５２と今回の装置本体の電源電圧の供給の開始（パワーオン）５３までの時間Ｔｏｆｆ５５を認識して、基準時間と比較判断することで機器の温度上昇ステータスを判断し、第１のファン(ＦＡＮ１)７および第２のファン(ＦＡＮ２)８停止のキャンセルが可能となる制御を行う。ここでの開始、停止は、装置本体の電源電圧の供給の開始（パワーオン）および装置本体の電源電圧の供給の停止（パワーオフ）に限らず、ポーリングに伴う第１のファン(ＦＡＮ１)７および第２のファン(ＦＡＮ２)８の回転開始および回転停止を含むものとする。


【手続補正４】
【補正対象書類名】明細書
【補正対象項目名】００７４
【補正方法】変更
【補正の内容】
【００７４】
これにより、起動時から５分間程度とポーリングの時間が短いので、時間軸の制御としてこの期間は第１のファン(ＦＡＮ１)７および第２のファン(ＦＡＮ２)８を停止するように制御することにより、スタンバイ状態からポーリング開始によるパワーオン状態に移行しても、ファンの動作を一定時間停止させてポーリング時に静粛さを保つことで騒音品質を向上させ、消費電力を低減させることができる。